(57)【要約】      （修正有）【課題】接着剤を使用することなく、磁石を収納したキャップを、気泡管部や設置穴に簡単にしかも堅固に取り付け、そのキャップが長年の使用によっても外れてしまうこともなく、しかも磁石の磁力を強いものにしても、そのキャップが気泡管部や設置穴から外れることがないようにした水準器を提供する。【解決手段】透明の合成樹脂製とした直方体形状のレベル本体の内部に垂直度または／および水平度を測定するための透明の気泡管部２を設け、この気泡管部２の外方部の空間Ｓｂの開口端に嵌合凸部４を設け、さらに合成樹脂製のキャップ３に磁石Ｍを収納し、このキャップ３の頭部３ｈ周端に嵌合凹部５を設け、気泡管部２の空間Ｓｂにキャップ３を充填して、空間Ｓｂの開口端の嵌合凸部４とキャップ３の頭部３ｈ周端の嵌合凹部５とを凹凸嵌合させ、キャップ３の頭部３ｈ外面をレベル本体の側壁面と面一になるようにした。【選択図】図３
0003165979.tif 000002
【実用新案登録請求の範囲】
【請求項１】
透明の合成樹脂製とした直方体形状のレベル本体（１）の内部に垂直度または／および水平度を測定するための透明の気泡管部（２）を設け、この気泡管部（２）の外方部の空間（Ｓｂ）の開口端に嵌合凸部（４）を設けたものとし、さらに合成樹脂製のキャップ（３）に磁石（Ｍ）を収納し、このキャップ（３）の頭部（３ｈ）周端に嵌合凹部（５）を設けたものとし、前記気泡管部（２）の空間（Ｓｂ）に前記キャップ（３）を充填して、前記空間（Ｓｂ）の開口端の嵌合凸部（４）と前記キャップ（３）の頭部（３ｈ）周端の嵌合凹部（５）とを凹凸嵌合させ、前記キャップ（３）の頭部（３ｈ）外面を前記レベル本体（１）の側壁面と面一になるようにしたことを特徴とする水準器。
【請求項２】
透明の合成樹脂製とした直方体形状のレベル本体（１１）の内部に垂直度または／および水平度を測定するための透明の気泡管部（２）を設け、この気泡管部（２）を設けたレベル本体（１１）の側壁面またはレベル本体（１１）の他の側壁面からレベル本体（１１）の内部にかけて設置穴（６）を設けたものとし、前記気泡管部（２）の外方部の空間（Ｓｂ）の開口端に嵌合凸部（４）を設けると共に、前記設置穴（６）の開口端に嵌合凸部（４）を設け、さらに合成樹脂製のキャップ（３）に磁石（Ｍ1 ）を収納し、このキャップ（３）の頭部（３ｈ）周端に嵌合凹部（５）を設け、前記気泡管部（２）の空間（Ｓｂ）および前記設置穴（６）に前記キャップ（３）をそれぞれ充填して、前記空間（Ｓｂ）の開口端の嵌合凸部（４）および設置穴（６）の開口端の嵌合凸部（４）と、前記キャップ（３）の頭部（３ｈ）周端の嵌合凹部（５）とを凹凸嵌合させ、さらに前記キャップ（３）の頭部（３ｈ）外面を前記レベル本体（１１）の側壁面と面一になるようにしたことを特徴とする水準器。
【請求項３】
透明の合成樹脂製とした縦長の平坦な略直方体形状の二個のレベル本体（１１、１２）を組み合わせてなるものとし、
一方のレベル本体（１１）に水平度を測定するための透明の気泡管部（２）を設け、この気泡管部（２）を設けたレベル本体（１１）の側壁面またはレベル本体（１１）の他の側壁面からレベル本体（１１）の内部にかけて設置穴（６）を設けたものとし、前記気泡管部（２）の外方部の空間（Ｓｂ）の開口端に嵌合凸部（４）を設けると共に、前記設置穴（６）の開口端に嵌合凸部（４）を設け、さらに合成樹脂製のキャップ（３）に磁石（Ｍ1 ）を収納し、このキャップ（３）の頭部（３ｈ）周端に嵌合凹部（５）を設け、前記気泡管部（２）の空間（Ｓｂ）および前記設置穴（６）に前記キャップ（３）をそれぞれ充填して、前記空間（Ｓｂ）の開口端の嵌合凸部（４）および設置穴（６）の開口端の嵌合凸部（４）と、前記キャップ（３）の頭部（３ｈ）周端の嵌合凹部（５）とを凹凸嵌合させ、さらに前記キャップ（３）の頭部（３ｈ）外面を前記レベル本体（１１）の側壁面と面一になるようにしたものとし、
さらに他方のレベル本体（１２）に垂直度を測定するための透明の気泡管部（２）を設け、この気泡管部（２）を設けたレベル本体（１２）の側壁面またはレベル本体（１２）の他の側壁面からレベル本体（１２）の内部にかけて設置穴（６）を設けたものとし、前記気泡管部（２）の外方部の空間（Ｓｂ）の開口端に嵌合凸部（４）を設けると共に、前記設置穴（６）の開口端に嵌合凸部（４）を設け、さらに合成樹脂製のキャップ（３）に、前記磁石（Ｍ1 ）に対向して、この磁石（Ｍ1 ）と引き合う磁石（Ｍ2 ）を収納し、このキャップ（３）の頭部（３ｈ）周端に嵌合凹部（５）を設け、前記気泡管部（２）の空間（Ｓｂ）および前記設置穴（６）に前記キャップ（３）をそれぞれ充填して、前記空間（Ｓｂ）の開口端の嵌合凸部（４）および設置穴（６）の開口端の嵌合凸部（４）と、前記キャップ（３）の頭部（３ｈ）周端の嵌合凹部（５）とを凹凸嵌合させ、さらに前記キャップ３の頭部（３ｈ）外面を前記レベル本体（１２）の側壁面と面一になるようにしたことを特徴とする水準器。
【請求項４】
前記レベル体（１、１１、１２）を硬質の合成樹脂製とし、前記キャップ（３）を前記レベル体（１、１１、１２）より軟質の合成樹脂製としたことを特徴とする請求項１〜３の何れかに記載の水準器。
【考案の詳細な説明】
【技術分野】
【０００１】
この考案は、電気工事や建築工事等において、被測定面の水平度や垂直度を測定するための水準器に関するものである。
【背景技術】
【０００２】
従来、この種の水準器としては、例えば、図１６に示したようなものが存在する。この水準器は、透明の合成樹脂製とした直方体形状のレベル本体２１の内部に短手方向と長手方向に沿って垂直度、水平度を測定するための透明の気泡管部２、２を互いに直交する方向に設けたものとしている（特許文献１）。
【０００３】
そして、前記気泡管部２の内方部の空間Ｓａは、中央部両側に水平状態を確認するためのマークとなる環状線Ｋ、Ｋが設けられ、その空間Ｓａには気泡を残して液体を充填し、合成樹脂製の止栓Ｐで密閉している。前記気泡管部２の外方部の空間Ｓｂは、磁石Ｍを収納した合成樹脂製のキャップ３を充填して、このキャップ３の外周面３ｏを前記空間部Ｓｂの内周面Ｓｉに接着させ、さらに前記キャップ３の頭部３ｈ外面を前記レベル本体２１の側壁面と面一になるようしたものとしている。
【０００４】
このように構成された従来の水準器は、被測定面が金属面で水平、垂直、直角の測定を行う場合に、この金属面に吸着させることにより、測定作業の利便性が図れるとしている。
【０００５】
さらに、この種の水準器としては、例えば、図１７（ａ）（ｂ）に示したようなものが存在する。この水準器は、透明の合成樹脂製とした縦長の平坦な略直方体形状の二個のレベル本体３１、３２を組み合わせてなるものとしている（特許文献２）。
【０００６】
そして、一方のレベル本体３１は、このレベル本体３１の短手方向の内部に、水平度を測定するための透明の気泡管部２を水平方向に設けたものとしており、前記気泡管部２と直交する方向のレベル本体３１の側壁面に、磁石Ｍ1 を取り付けたものとしている。
【０００７】
前記気泡管部２の内方部の空間Ｓａは、中央部両側に水平状態を確認するためのマークとなる環状線Ｋ、Ｋが設けられ、その空間Ｓａには気泡を残して液体を充填し、合成樹脂製の止栓Ｐで密閉している。前記気泡管部２の外方部の空間Ｓｂは、磁石Ｍ1 を収納した合成樹脂製のキャップ３を充填して、このキャップ３の外周面３ｏを前記空間部Ｓｂの内周面Ｓｉに接着させ、さらに前記キャップ３の頭部３ｈ外面を前記レベル本体３１の側面壁と面一になるようにしたものとしている。さらに、前記レベル本体３１は、気泡管部２を設けた側壁面の他の部分や、上側壁面または下側壁面の適当な部分には、これら側壁面や上側壁面または下側壁面から内部にかけてそれぞれ磁石Ｍ1 の設置穴６を設けたものとしている。これらの設置穴６には、磁石Ｍ1 を収納した合成樹脂製のキャップ３をそれぞれ充填して、これらキャップ３の外周面３ｏを前記設置穴６の内周面６ｉに接着させ、さらに前記キャップ３の頭部３ｈ外面を前記レベル本体３１の各側壁面と面一になるようにしたものとしている。
【０００８】
他方のレベル本体３２は、このレベル本体３２の長手方向の内部に、垂直度を測定するための透明の気泡管部２を垂直方向に設けたものとしており、前記気泡管部２と平行な方向のレベル本体３２の側壁面に、前記レベル本体３１に取り付けた磁石Ｍ1 に対向して、この磁石Ｍ1 と引き合う磁石Ｍ2 を取り付けたものとしている。
【０００９】
前記気泡管部２の内方部の空間Ｓａは、中央部両側に水平状態を確認するためのマークとなる環状線Ｋ、Ｋが設けられ、その空間Ｓａには気泡を残して液体を充填し、合成樹脂製の止栓Ｐで密閉している。前記気泡管部２の外方部の空間Ｓｂは、磁石Ｍ2 を収納した合成樹脂製のキャップ３を充填して、このキャップ３の外周面３ｏを前記空間部Ｓｂの内周面Ｓｉに接着させ、さらに前記キャップ３の頭部３ｈ外面を前記レベル本体３２の上側壁面または下側壁面と面一になるようにしたものとしている。さらに、前記レベル本体３２は、左右側壁面の一方の側壁面の適当な部分には、この側壁面から内部にかけて磁石Ｍ2 の設置穴６を設けたものとしている。これらの設置穴６には、磁石Ｍ2 を収納した合成樹脂製のキャップ３をそれぞれ充填して、これらキャップ３の外周面３ｏを前記設置穴６の内周面６ｉに接着させ、さらに前記キャップ３の頭部３ｈ外面を前記レベル本体３２の側壁面と面一になるようにしたものとしている。
【００１０】
このように構成された従来の水準器は、図１８に示したように、電線、ケーブルなどのダクトの配設を行う場合に用いられる。すなわち、前記ダクトＤの分割体Ｄ1 の外側面にレベル本体３１をあてがうと共に、この分割体Ｄ1 の内側面にレベル本体３２をあてがって、レベル本体３１の磁石Ｍ1 とレベル本体３２の磁石Ｍ2 を引き付け合わせることにより、ダクトＤの分割体Ｄ1 にこの考案の水準器を設置し、このダクトＤの分割体Ｄ1 の垂直度や水平度を測定できるとしている。
【先行技術文献】
【特許文献】
【００１１】
【特許文献１】実用新案登録第３１５２０３１号公報
【特許文献２】実用新案登録第３１６１１１６号公報
【考案の概要】
【考案が解決しようとする課題】
【００１２】
上記従来の水準器では、磁石を収納したキャップの外周面を、前記空間部Ｓｂの内周面Ｓｉや設置穴６の内周面６ｉに接着させるには、接着剤を使用するが、この接着剤を使用する接着作業は、作業性が悪いうえに、前記空間部Ｓｂや設置穴６から接着剤が食み出して、レベル本体２１の側壁面を汚してしまうことがあるという問題点を有していた。
【００１３】
さらに、上記従来の水準器では、磁石Ｍ、Ｍ1 、Ｍ2 を収納したキャップ３の外周面３ｏを、前記空間部Ｓｂの内周面Ｓｉや設置穴６の内周面６ｉに接着させるには、接着剤を使用しているため、自動車内などの昼夜における温度差の激しい場所に放置しておくと、ヒートサイクルによって接着剤が劣化し、磁石Ｍ、Ｍ1 、Ｍ2 を収納したキャップ３が外れてしまうことがあるという問題点を有していた。
【００１４】
また、上記従来の図１６に示した水準器では、磁石Ｍの磁力を強いものにしないと、被測定面である金属面にしっかりと吸着させることができず、被測定面から浮いたり、ずれたりして正確な測定作業を行うことができない。しかしながら、この水準器では、測定作業が終わり、金属面に吸着した磁石Ｍをその金属面から取り去るときに、大きな吸引力が作用するので、長年の使用においては、キャップ３の外周面３ｏと空間部Ｓｂの内周面Ｓｉとの接着が外れてしまうことがあるため、磁石Ｍの磁力をあまり強いものにすることができないという問題点を有していた。
【００１５】
さらに、上記従来の図１７（ａ）（ｂ）に示した水準器でも、磁石Ｍ1 と磁石Ｍ2 の磁力を強いものにしないと、ダクトＤを挟んで磁石Ｍ1 と磁石Ｍ2 をしっかりと引き付け合わせることができず、ダクドＤの測定面から浮いたり、ずれたりして正確な測定作業を行うことができない。しかしながら、この水準器でも、測定作業が終わり、磁石Ｍ1 と磁石Ｍ2 をダクトＤから取り去るときに、大きな吸引力が作用するので、長年の使用においては、キャップ３の外周面３ｏと空間部Ｓｂの内周面Ｓｉとの接着が外れたり、キャップ３の外周面３ｏと設置穴６の内周面６ｉとのそれぞれの接着が外れてしまうことがあるため、磁石Ｍ1 と磁石Ｍ2 の磁力をあまり強いものにすることができないという問題点を有していた。
【００１６】
そこで、この考案は、上記従来の問題点を解決することをその課題としており、接着剤を使用することなく、磁石を収納したキャップを、気泡管部や設置穴に簡単にしかも堅固に取り付けることができるようにすると共に、レベル本体の側壁面を汚してしまうことがなく、ヒートサイクルによっても劣化せず、磁石を収納したキャップが長年の使用によっても外れてしまうことがなく、しかも磁石の磁力を強いものにしても、その磁石を収納したキャップが気泡管部や設置穴から外れることがないようにし、被測定面からレベル本体が浮いたり、ずれたりすることがなく、正確な測定作業を行うことができる水準器を提供することを目的としてなされたものである。
【課題を解決するための手段】
【００１７】
この考案の水準器は、透明の合成樹脂製とした直方体形状のレベル本体１の内部に垂直度または／および水平度を測定するための透明の気泡管部２を設け、この気泡管部２の外方部の空間Ｓｂの開口端に嵌合凸部４を設けたものとし、さらに合成樹脂製のキャップ３に磁石Ｍを収納し、このキャップ３の頭部３ｈ周端に嵌合凹部５を設けたものとし、前記気泡管部２の空間Ｓｂに前記キャップ３を充填して、前記空間Ｓｂの開口端の嵌合凸部４と前記キャップ３の頭部３ｈ周端の嵌合凹部５とを凹凸嵌合させ、前記キャップ３の頭部３ｈ外面を前記レベル本体１の側壁面と面一になるようにしたものとしている。
【００１８】
さらに、この考案の水準器は、透明の合成樹脂製とした直方体形状のレベル本体１１の内部に垂直度または／および水平度を測定するための透明の気泡管部２を設け、この気泡管部２を設けたレベル本体１１の側壁面またはレベル本体１１の他の側壁面からレベル本体１１の内部にかけて設置穴６を設けたものとし、前記気泡管部２の外方部の空間Ｓｂの開口端に嵌合凸部４を設けると共に、前記設置穴６の開口端に嵌合凸部４を設け、さらに合成樹脂製のキャップ３に磁石Ｍ1 を収納し、このキャップ３の頭部３ｈ周端に嵌合凹部５を設け、前記気泡管部２の空間Ｓｂおよび前記設置穴６に前記キャップ３をそれぞれ充填して、前記空間Ｓｂの開口端の嵌合凸部４および設置穴６の開口端の嵌合凸部４と、前記キャップ３の頭部３ｈ周端の嵌合凹部５とを凹凸嵌合させ、さらに前記キャップ３の頭部３ｈ外面を前記レベル本体１１の側壁面と面一になるようにしたものとしている。
【００１９】
そして、この考案の水準器は、透明の合成樹脂製とした縦長の平坦な略直方体形状の二個のレベル本体１１、１２を組み合わせてなるものとしている。
一方のレベル本体１１には水平度を測定するための透明の気泡管部２を設け、この気泡管部２を設けたレベル本体１１の側壁面またはレベル本体１１の他の側壁面からレベル本体１１の内部にかけて設置穴６を設けたものとし、前記気泡管部２の外方部の空間Ｓｂの開口端に嵌合凸部４を設けると共に、前記設置穴６の開口端に嵌合凸部４を設け、さらに合成樹脂製のキャップ３に磁石Ｍ1 を収納し、このキャップ３の頭部３ｈ周端に嵌合凹部５を設け、前記気泡管部２の空間Ｓｂおよび前記設置穴６に前記キャップ３をそれぞれ充填して、前記空間Ｓｂの開口端の嵌合凸部４および設置穴６の開口端の嵌合凸部４と、前記キャップ３の頭部３ｈ周端の嵌合凹部５とを凹凸嵌合させ、さらに前記キャップ３の頭部３ｈ外面を前記レベル本体１１の側壁面と面一になるようにしたものとしている。
さらに、他方のレベル本体１２には垂直度を測定するための透明の気泡管部２を設け、この気泡管部２を設けたレベル本体１２の側壁面またはレベル本体１２の他の側壁面からレベル本体１２の内部にかけて設置穴６を設けたものとし、前記気泡管部２の外方部の空間Ｓｂの開口端に嵌合凸部４を設けると共に、前記設置穴６の開口端に嵌合凸部４を設け、さらに合成樹脂製のキャップ３に、前記磁石Ｍ1 に対向して、この磁石Ｍ1 と引き合う磁石Ｍ2 を収納し、このキャップ３の頭部３ｈ周端に嵌合凹部５を設け、前記気泡管部２の空間Ｓｂおよび前記設置穴６に前記キャップ３をそれぞれ充填して、前記空間Ｓｂの開口端の嵌合凸部４および設置穴６の開口端の嵌合凸部４と、前記キャップ３の頭部３ｈ周端の嵌合凹部５とを凹凸嵌合させ、さらに前記キャップ３の頭部３ｈ外面を前記レベル本体１２の側壁面と面一になるようにしたものとしている。
【００２０】
そして、この考案の水準器は、前記レベル体１、１１、１２を硬質の合成樹脂製とし、前記キャップ３を前記レベル体１、１１、１２より軟質の合成樹脂製としている。
【考案の効果】
【００２１】
この考案の水準器は、以上に述べたように構成されているので、接着剤を使用することなく、磁石を収納したキャップを、気泡管部や設置穴に簡単にしかも堅固に取り付けることができるものとなると共にレベル本体の側壁面を汚してしまうことがなくなり、さらにヒートサイクルによっても劣化せず、磁石を収納したキャップが長年の使用によっても外れてしまうことがなくなり、いつまでも正確な測定作業を行うことができるものとなった。
【００２２】
また、この考案の水準器は、磁石の磁力を強いものにしても、その磁石を収納したキャップが気泡管部や設置穴から外れることがなくなり、被測定面からレベル本体が浮いたり、ずれたりすることがなく、正確な測定作業を行うことができるものとなった。
【図面の簡単な説明】
【００２３】
【図１】この考案の水準器の第一実施形態を示す斜視図である。
【図２】図１に示すこの考案の水準器の正面図である。
【図３】（ａ）は図２中のＡ−Ａ線によるこの考案の水準器の断面面であり、（ｂ）は（ａ）の円で囲んだ部分の拡大断面図である。
【図４】図３に示したこの考案の水準器の要部分解斜視図である。
【図５】この考案の水準器の第二実施形態を示す斜視図である。
【図６】図５に示すこの考案の水準器の一方のレベル本体の正面図である。
【図７】（ａ）は図６中のＢ−Ｂ線によるこの考案の水準器の断面面であり、（ｂ）は（ａ）の円で囲んだ部分の拡大断面図である。
【図８】図７に示したこの考案の水準器の要部分解斜視図である。
【図９】（ａ）は図６中のＣ−Ｃ線によるこの考案の水準器の断面図であり、（ｂ）は（ａ）の円で囲んだ部分の拡大断面図である。
【図１０】図９に示したこの考案の水準器の要部分解斜視図である。
【図１１】図５に示すこの考案の水準器の他方のレベル本体の正面図である。
【図１２】（ａ）は図１１中のＤ−Ｄ線によるこの考案の水準器の断面図であり、（ｂ）は（ａ）の円で囲んだ部分の拡大断面図である。
【図１３】図１２に示したこの考案の水準器の要部分解斜視図である。
【図１４】（ａ）は図１１中のＥ−Ｅ線によるこの考案の水準器の断面面であり、（ｂ）は（ａ）の円で囲んだ部分の拡大断面図である。
【図１５】図１４に示したこの考案の水準器の要部分解斜視図である。
【図１６】従来の水準器の一例を示す分解斜視図である。
【図１７ａ】従来の水準器の他の例を示しており、二個一組とした水準器であり、その水準器の一方の分解斜視図である。
【図１７ｂ】図１７ａに示す従来の水準器の他方の分解斜視図である。
【図１８】図１７ａ、図１７ｂの従来の水準器の使用状態を示す説明図である。
【考案を実施するための形態】
【００２４】
以下、この考案の水準器を実施するための形態を、図面に基づいて詳細に説明する。
【００２５】
第一実施形態としたこの考案の水準器は、図１〜４に示したように、透明の合成樹脂製とした直方体形状のレベル本体１の内部に短手方向に沿って垂直度を測定するための透明の気泡管部２と、前記レベル本体１の内部に長手方向に沿って水平度を測定するための透明の気泡管部２とを互いに直交する方向に設けている。なお、この考案の水準器は、前記レベル本体１の内部に垂直度または水平度を測定するための透明の気泡管部２の一方のみを設けたものとしてもよい。
【００２６】
前記レベル本体１は、前壁面１ａ、後壁面１ｂ、上側壁面１ｃ、下側壁面１ｄ、左側壁面１ｅ、右側壁面１ｆを有したものとしており、図示したものの実寸は、短手方向の寸法を５０〜６０ｍｍとし、長手方向の寸法を９０〜１００ｍｍとし、厚さを１０〜２０ｍｍとしているが、特に限定されるものではない。また、前記レベル本体１は、前壁面１ａの中央から後壁面１ｂの中央にかけて罫書き用の孔Ｈを貫通させたものとしているが、この孔Ｈも必要に応じて設ければよい。さらに、前記レベル本体１には、必要に応じ、前壁面１ａの少なくとも互いに直交する端縁に寸法測定用の目盛り（図示せず）を設けておくこともできる。
【００２７】
前記気泡管部２は、レベル本体１の互いに直交する側壁面（図示したものでは下側壁面１ｄと右側壁面１ｆ）から内部にかけて穿設されており、それぞれ内方部の空間Ｓａと外方部の空間Ｓｂとが連設されたものとしており、内方部の空間Ｓａは中央部がわずかに膨らんだ円柱形状に形成しており、外方部の空間Ｓｂは内方部の空間Ｓａより少し径の大きい円柱形状に形成している。
【００２８】
前記気泡管部２の内方部の空間Ｓａは、中央部両側に水平状態を確認するためのマークとなる環状線Ｋ、Ｋが設けられ、その空間Ｓａには気泡Ｂを残して液体Ｌを充填し、合成樹脂製の止栓Ｐで密閉している。
【００２９】
前記気泡管部２の外方部の空間Ｓｂは、その開口端に嵌合凸部４を設けたものとし、さらに合成樹脂製のキャップ３に磁石Ｍを収納し、このキャップ３の頭部３ｈ周端に嵌合凹部５を設けたものとし、前記気泡管部２の空間Ｓｂに前記キャップ３を充填して、前記空間Ｓｂの開口端の嵌合凸部４と前記キャップ３の頭部３ｈ周端の嵌合凹部５とを凹凸嵌合させたものとしている。そして、前記キャップ３の頭部３ｈ外面を前記レベル本体１の側壁面と面一になるようしたものとしている。
【００３０】
第二実施形態としたこの考案の水準器は、図５〜１５に示したように、透明の合成樹脂製とした縦長の平坦な略直方体形状の二個のレベル本体１１、１２を組み合わせてなるものとしている。なお、一方のレベル本体１１は、他方のレベル本体１２より大きくしているが、逆に他方のレベル本体１２より小さくすることも、他方のレベル本体１２と同じ大きさにすることもできる。また、この考案の水準器は、前記レベル本体１１、１２を組み合わせてなるものとすることなく、レベル本体１１を単独とした第三実施例として実施することも、レベル本体１２を単独とした第四実施例として実施することもできる。
【００３１】
一方のレベル本体１１は、このレベル本体１１の短手方向の内部に、水平度を測定するための透明の気泡管部２を水平方向に設けたものとしており、前記気泡管部２と直交する方向のレベル本体１１の側壁面に、磁石Ｍ1 を取り付けたものとしている。さらに、前記レベル本体１１は、必要に応じて、略直方体形状の任意の角部において、４５度の角度に傾斜させて透明の気泡管部２を設けたものとしている。また、前記レベル本体１１は、必要に応じて、前記水平度を測定するための気泡管部２と平行な方向のレベル本体１１の側壁面に、磁石Ｍ1 を取り付けたものとしている。なお、前記レベル本体１１は、このレベル本体１１の長手方向の内部に、垂直度を測定するための透明の気泡管部２を垂直方向に設けたものとすることもできる。
【００３２】
他方のレベル本体１２は、このレベル本体１２の長手方向の内部に、垂直度を測定するための透明の気泡管部２を垂直方向に設けたものとしており、前記気泡管部２と平行な方向のレベル本体１２の側壁面に、前記レベル本体１１に取り付けた磁石Ｍ1 に対向して、この磁石Ｍ1 と引き合う磁石Ｍ2 を取り付けたものとしている。さらに、前記レベル本体１２は、必要に応じて、前記気泡管部２と直交する方向のレベル本体１２の側壁面に、前記レベル本体１１に取り付けたそれぞれの磁石Ｍ1 と引き合う磁石Ｍ2 を取り付けたものとしている。なお、前記レベル本体１２は、このレベル本体１２の短手方向の内部に、水平度を測定するための透明の気泡管部２を水平方向に設けたものとすることもできる。
【００３３】
前記レベル本体１１は、前壁面１１ａ、後壁面１１ｂ、上側壁面１１ｃ、下側壁面１１ｄ、左側壁面１１ｅ、右側壁面１１ｆを有したものとしており、図示したものの実寸は、短手方向の寸法を４０〜６０ｍｍ、好ましくは５０ｍｍとし、長手方向の寸法を９０〜１１０ｍｍ、好ましくは１００ｍｍとし、厚さを１０〜２０ｍｍ、好ましくは１５ｍｍとしているが、特に限定されるものではない。また、前記レベル本体１１は、前壁面１１ａの中央から後壁面１１ｂの中央にかけて罫書き用の孔Ｈを貫通させたものとしているが、この孔Ｈは必要に応じて設ければよい。さらに、前記レベル本体１１には、必要に応じ、前壁面１１ａまたは後壁面１１ｂの端縁に寸法測定用の目盛り（図示せず）を設けておくこともできる。
【００３４】
前記レベル本体１２は、前壁面１２ａ、後壁面１２ｂ、上側壁面１２ｃ、下側壁面１２ｄ、左側壁面１２ｅ、右側壁面１２ｆを有したものとしており、図示したものの実寸は、短手方向の寸法を２０〜４０ｍｍ、好ましくは３０ｍｍとし、長手方向の寸法を６０〜８０ｍｍ、好ましくは７０ｍｍとし、厚さを１０〜２０ｍｍ、好ましくは１５ｍｍとしているが、特に限定されるものではない。
【００３５】
前記レベル本体１１に設けた気泡管部２は、レベル本体１１の左右側壁面１１ｅ、１１ｆの一方の側壁面から内部にかけて水平方向に穿設されており、内方部の空間Ｓａと外方部の空間Ｓｂとが連設されたものとしており、内方部の空間Ｓａは中央部がわずかに膨らんだ円柱形状に形成しており、外方部の空間Ｓｂは内方部の空間Ｓａより少し径の大きい円柱形状に形成している。
【００３６】
前記気泡管部２の内方部の空間Ｓａは、中央部両側に水平状態を確認するためのマークとなる環状線Ｋ、Ｋが設けられ、その空間Ｓａには気泡Ｂを残して液体Ｌを収容し、合成樹脂製の止栓Ｐで密閉している。
【００３７】
前記気泡管部２の外方部の空間Ｓｂは、その開口端に嵌合凸部４を設けたものとし、さらに合成樹脂製のキャップ３に磁石Ｍ1 を収納し、このキャップ３の頭部３ｈ周端に嵌合凹部５を設けたものとし、前記気泡管部２の空間Ｓｂに前記キャップ３を充填して、前記空間Ｓｂの開口端の嵌合凸部４と前記キャップ３の頭部３ｈ周端の嵌合凹部５とを凹凸嵌合させたものとしている。さらに、前記キャップ３の頭部３ｈ外面を前記レベル本体１１の側壁面と面一になるようしたものとしている。
【００３８】
前記レベル本体１１に４５度の角度に傾斜させて設けた気泡管部２は、レベル本体１１の左側壁面１１ｅまたは右側壁面１１ｆの一方と、上側壁面１１ｃまたは下側壁面１１ｄの一方が交差する角部を落として傾斜壁面１１ｇとし、この傾斜壁面１１ｇから内部にかけて穿設されており、内方部の空間Ｓａと外方部の空間Ｓｂとが連設されたものとしており、内方部の空間Ｓａは中央部がわずかに膨らんだ円柱形状に形成しており、外方部の空間Ｓｂは内方部の空間Ｓａより少し径の大きい円柱形状に形成している。
【００３９】
前記気泡管部２は、内方部の空間Ｓａには、中央部両側に水平状態を確認するためのマークとなる環状線Ｋ、Ｋが設けられ、気泡Ｂを残して液体Ｌを収容し、外方部の空間Ｓｂには、合成樹脂製の止栓Ｐを充填して、この止栓Ｐで密閉している。
【００４０】
さらに、前記レベル本体１１は、気泡管部２を設けた側壁面や他の側壁面である上側壁面１１ｃまたは下側壁面１１ｄから内部にかけてそれぞれ磁石Ｍ1 の設置穴６を設けたものとしている。これらの設置穴６には、その開口端に嵌合凸部４を設けたものとし、さらに合成樹脂製のキャップ３に磁石Ｍ1 を収納し、このキャップ３の頭部３ｈ周端に嵌合凹部５を設け、前記設置穴６に前記キャップ３をそれぞれ充填して、前記設置穴６の開口端の嵌合凸部４と前記キャップ３の頭部３ｈ周端の嵌合凹部５とを凹凸嵌合させたものとしている。そして、前記キャップ３の頭部３ｈ外面を前記レベル本体１１の側壁面と面一になるようしたものとしている。
【００４１】
前記レベル本体１２に設けた気泡管部２は、レベル本体１２の上側壁面１２ｃまたは下側壁面１２ｄから内部にかけて垂直方向に穿設されており、内方部の空間Ｓａと外方部の空間Ｓｂとが連設されたものとしており、内方部の空間Ｓａは中央部がわずかに膨らんだ円柱形状に形成しており、外方部の空間Ｓｂは内方部の空間Ｓａより少し径の大きい円柱形状に形成している。
【００４２】
前記気泡管部２の内方部の空間Ｓａは、中央部両側に水平状態を確認するためのマークとなる環状線Ｋ、Ｋが設けられ、その空間Ｓａには気泡Ｂを残して液体Ｌを収容し、合成樹脂製の止栓Ｐで密閉している。
【００４３】
前記気泡管部２の外方部の空間Ｓｂは、その開口端に嵌合凸部４を設けたものとし、さらに合成樹脂製のキャップ３に磁石Ｍ2 を収納し、このキャップ３の頭部３ｈ周端に嵌合凹部５を設けたものとし、前記気泡管部２の空間Ｓｂに前記キャップ３を充填して、前記空間Ｓｂの開口端の嵌合凸部４と前記キャップ３の頭部３ｈ周端の嵌合凹部５とを凹凸嵌合させたものとしている。さらに、前記キャップ３の頭部３ｈ外面を前記レベル本体１２の側壁面と面一になるようしたものとしている。
【００４４】
さらに、前記レベル本体１２は、左右側壁面１２ｅ、１２ｆの一方の側壁面から内部にかけて磁石Ｍ2 の設置穴６を設けたものとしている。これらの設置穴６には、その開口端に嵌合凸部４を設けたものとし、さらに合成樹脂製のキャップ３に磁石Ｍ2 を収納し、このキャップ３の頭部３ｈ周端に嵌合凹部５を設け、前記設置穴６に前記キャップ３をそれぞれ充填して、前記設置穴６の開口端の嵌合凸部４と前記キャップ３の頭部３ｈ周端の嵌合凹部５とを凹凸嵌合させたものとしている。さらに、前記キャップ３の頭部３ｈ外面を前記レベル本体１２の側壁面と面一になるようしたものとしている。
【００４５】
なお、この考案において「透明」とは、レベル本体１、１１、１２の内部に設けた気泡管部２が視認できたり、この気泡管部２内の気泡Ｂが視認できる程度の透明度であればよい。
【００４６】
さらに、この考案において前記レベル体１、１１、１２は、アクリル樹脂等の硬質の合成樹脂製とし、前記キャップ３は、ポリプロピレン等の前記レベル体１、１１、１２より軟質の合成樹脂製とするのが、このキャップ３と、前記空間Ｓｂまたは設置穴６との凹凸嵌合がし易いものとなるので好ましい。
【００４７】
また、この考案において前記磁石Ｍ、Ｍ1 、Ｍ2 は、ボタン形の磁石体としており、例えば直径が１０ｍｍ程度で、厚さが５ｍｍ程度のものが使用できる。
【００４８】
さらに、この考案において前記気泡管部２に収容される液体Ｌは、これらの気泡管部２に直に充填することにより収容したものとしてもよいが、中央部がわずかに膨らんだ円柱形状のチューブ（図示せず）に液体Ｌを収容してから、このチューブを気泡管部２にそれぞれ充填することにより収容したものとしてもよい。この場合には、前記環状線Ｋ、Ｋもこのチューブに設けたものとすることもできる。
【００４９】
したがって、この考案の水準器は、磁石Ｍ、Ｍ1 、Ｍ2 を収納したキャップ３を気泡管部２の空間Ｓｂおよび設置穴６に簡単にしかも堅固に取り付けることができるものとなり、その取り付けの作業性が良くなる。また、接着剤を使用していないので、レベル本体１、１１、１２の側壁面を汚してしまうことがなくなり、さらにヒートサイクルによっても劣化せず、磁石Ｍ、Ｍ1 、Ｍ2 を収納したキャップ３が長年の使用によっても外れてしまうこともなく、いつまでも正確な測定作業を行うことができるものとなる。
【００５０】
なお、この考案の水準器は、前記キャップ３の頭部３ｈ外面を前記レベル本体１、１１、１２の側壁面と面一になるようにするには、バフ研磨するが、このバフ研磨をする場合にも、前記キャップ３は気泡管部２の空間Ｓｂおよび設置穴６から非常に外れ難いものとなっているので、レベル本体１、１１、１２から磁石Ｍ、Ｍ1 、Ｍ2 を収納したキャップ３が外れてしまうようなこともないものとなる。
【符号の説明】
【００５１】
１  レベル本体
２  気泡管部
３  キャップ
３ｈ  頭部
４  嵌合凸部
５  嵌合凹部
６  設置穴
１１  レベル本体
１２  レベル本体
Ｍ  磁石
Ｍ1   磁石
Ｍ2   磁石
Ｓａ  空間
Ｓｂ  空間
【図１】
0003165979.tif 000003
【図２】
0003165979.tif 000004
【図３】
0003165979.tif 000005
【図４】
0003165979.tif 000006
【図５】
0003165979.tif 000007
【図６】
0003165979.tif 000008
【図７】
0003165979.tif 000009
【図８】
0003165979.tif 000010
【図９】
0003165979.tif 000011
【図１０】
0003165979.tif 000012
【図１１】
0003165979.tif 000013
【図１２】
0003165979.tif 000014
【図１３】
0003165979.tif 000015
【図１４】
0003165979.tif 000016
【図１５】
0003165979.tif 000017
【図１６】
0003165979.tif 000018
【図１７ａ】
0003165979.tif 000019
【図１７ｂ】
0003165979.tif 000020
【図１８】
0003165979.tif 000021